(57)【要約】【課題】同一形状の瓶が隣接した状態にコンテナ１０内に複数並べられて収容された際にも、瓶周囲の空気の入れ換えをより効率的に行うことができるきのこ栽培瓶を提供する。【解決手段】瓶口２１が円形で胴体２２が有底の四角筒状に設けられているきのこの菌床栽培に用いるきのこ栽培瓶であって、同一形状の瓶が隣接した状態にコンテナ１０内に複数並べられて収容された際にも胴体２２の外側面同士の間で縦方向と横方向に空気が流通できるように、外側面３０の四面のいずれもが、縦方向と横方向の両方向へ凹状に延びる湾曲した凹曲面３１、３２に設けられている。同一形状の瓶が隣接した状態にコンテナ１０内に複数並べられて収容された際に、隣り合う瓶同士が点で接触されて相互の位置関係が決まることでコンテナ１０内に収納される。【選択図】図１
2017006009.tif 000002
【特許請求の範囲】
【請求項１】
きのこの菌床栽培に用いられるように、瓶口が円形で胴体が有底の四角筒状に設けられているきのこ栽培瓶であって、
同一形状の瓶が隣接した状態にコンテナ内に複数並べられて収容された際にも前記胴体の外側面同士の間で縦方向と横方向に空気が流通できるように、前記外側面の四面のいずれもが、縦方向と横方向の両方向へ凹状に延びる湾曲した凹曲面を備えていることを特徴とするきのこ栽培瓶。
【請求項２】
同一形状の瓶が隣接した状態にコンテナ内に複数並べられて収容された際に、隣り合う瓶同士が点で接触されて相互の位置関係がコンテナ内で決められるように、前記外側面の四面のいずれにも凸曲面を備えていることを特徴とする請求項１記載のきのこ栽培瓶。
【請求項３】
平面形状で四角の前記胴体の各角部が、凸曲面状に丸められた凸丸状に形成されており、同一形状の瓶が隣接した状態にコンテナ内に複数並べられて収容された際に、隣り合う四つの前記凸丸状によって縦に延びる星形状の通気空間を形成できることを特徴とする請求項１又は２記載のきのこ栽培瓶。
【発明の詳細な説明】
【技術分野】
【０００１】
この発明は、きのこの菌床栽培に用いられるように、瓶口が円形で胴体が有底の四角筒状に設けられているきのこ栽培瓶に関する。
【背景技術】
【０００２】
従来のきのこ栽培瓶は、瓶口が円形で胴体も円形（有底の円筒状）に設けられている。このような円筒状の瓶は、対称性が高く、樹脂成型によって製造し易い。また、対称性が高いため、きのこの培地を詰め易いと共に、使用済みのきのこ培地を掻き出す作業についても行い易いメリットがある。
【０００３】
これに対して、先行技術としては、きのこ栽培用の培地を充填する、広口の瓶口を持つ、きのこ栽培瓶であって、その有底の瓶胴部が、ほぼ方形筒状に形成され、前記きのこ栽培瓶を、その瓶胴部を互いに密着させて、複数本起立させて縦横に並べて配列した状態において、その隣り合うきのこ栽培瓶の瓶胴部の間に、冷却用の外気を循環させる隙間が形成されるように、そのほぼ方形筒状をなすきのこ栽培瓶の瓶胴部四隅の外側縁がほぼ円弧状、ほぼ直線状又はほぼＬ字状に面取り形成されたことを特徴とするきのこ栽培瓶（特許文献１参照）が開示されている。
【０００４】
これによれば、コンテナ内に並べて収容する複数本のきのこ栽培瓶に充填する培地の総充填量を、その隣り合うきのこ栽培瓶の瓶胴部の間に隙間を生じさせない分、増加させることができる。また、同じ容量の培地を入れるためには、瓶の高さを、低くすることができる。
【先行技術文献】
【特許文献】
【０００５】
【特許文献１】特開２００７−１９５４７０号公報（第１頁、請求項１、２）
【発明の概要】
【発明が解決しようとする課題】
【０００６】
きのこ栽培瓶に関して解決しようとする問題点は、四角筒状の瓶の場合、同一形状の瓶が隣接した状態にコンテナ内に複数並べられて収容された際に、線同士が接触して通気路を遮断することや、面同士が接触して通気空間が消滅状態になることで、瓶周囲の空気の入れ換えを適切にできないことにある。
【０００７】
そこで、本発明の目的は、胴体が有底の四角筒状の瓶であっても、同一形状の瓶が隣接した状態にコンテナ内に複数並べられて収容された際に、瓶周囲の空気の入れ換えをより効率的に行うことができるきのこ栽培瓶を提供することにある。
【課題を解決するための手段】
【０００８】
本発明は、上記目的を達成するために次の構成を備える。
本発明にかかるきのこ栽培瓶の一形態によれば、きのこの菌床栽培に用いられるように、瓶口が円形で胴体が有底の四角筒状に設けられているきのこ栽培瓶であって、同一形状の瓶が隣接した状態にコンテナ内に複数並べられて収容された際にも前記胴体の外側面同士の間で縦方向と横方向に空気が流通できるように、前記外側面の四面のいずれもが、縦方向と横方向の両方向へ凹状に延びる湾曲した凹曲面を備えている。
【０００９】
また、本発明にかかるきのこ栽培瓶の一形態によれば、同一形状の瓶が隣接した状態にコンテナ内に複数並べられて収容された際に、隣り合う瓶同士が点で接触されて相互の位置関係がコンテナ内で決められるように、前記外側面の四面のいずれにも凸曲面を備えていることを特徴とすることができる。
【００１０】
また、本発明にかかるきのこ栽培瓶の一形態によれば、平面形状で四角の前記胴体の各角部が、凸曲面状に丸められた凸丸状に形成されており、同一形状の瓶が隣接した状態にコンテナ内に複数並べられて収容された際に、隣り合う四つの前記凸丸状によって縦に延びる星形状の通気空間を形成できることを特徴とすることができる。
【発明の効果】
【００１１】
本発明のきのこ栽培瓶によれば、胴体が有底の四角筒状の瓶であっても、同一形状の瓶が隣接した状態にコンテナ内に複数並べられて収容された際に、瓶周囲の空気の入れ換えをより効率的に行うことができるという特別有利な効果を奏する。
【図面の簡単な説明】
【００１２】
【図１】本発明に係るきのこ栽培瓶の形態例を示す斜視図である。
【図２】図１の形態例の平面図である。
【図３】図１の形態例の正面図である。
【図４】図２のＡ−Ａ線断面図である。
【図５】図２のＢ−Ｂ線断面図である。
【図６】同一形状のきのこ栽培瓶が隣接した状態にコンテナ内に複数並べられて収容された状態を示す側面図である。
【図７】図６の形態例の平面図である。
【発明を実施するための形態】
【００１３】
以下、本発明に係るきのこ栽培瓶の形態例を、添付図面（図１〜１０）に基づいて詳細に説明する。このきのこ栽培瓶２０は、きのこの菌床栽培に用いられるように、瓶口２１が円形で胴体２２が有底の四角筒状に設けられているものである。この四角筒状のきのこ栽培瓶によれば、円筒状の瓶に比べて、スペースをより効率的に使ってきのこ栽培用の培地（配合培地）を充填できる瓶になっている。
【００１４】
本発明に係るきのこ栽培瓶２０によれば、同一形状の瓶が隣接した状態にコンテナ１０内に複数並べられて収容された際にも胴体２２の外側面３０同士の間で縦方向と横方向に空気が流通できるように、外側面３０の四面のいずれもが、縦方向と横方向の両方向へ凹状に延びる湾曲した凹曲面３１、３２を備えている。すなわち、各図に示すように、外側面３０の各面において、３１が縦に延びる凹曲面になっており、３２が横に延びる凹曲面になっており、それらの凹曲面が一体化している。
【００１５】
これによれば、同一形状の瓶が隣接した状態にコンテナ１０内に複数並べられて収容された際にも、外側面３０の四面の全てについて、空気流が縦方向と横方向の両方向について流れることができ、その外側面３０の四面を効果的に冷却することができる。本形態例では、図７に示すように、５１が縦に延びる通気空間になっており、図６に示すように、５２が横に延びる通気空間になっている。
【００１６】
すなわち、このきのこ栽培瓶２０は、三次元的に曲面が滑らかに連続されて形成された形状になっており、図６及び図７に示すように、同一形状の瓶（きのこ栽培瓶２０）が隣接した状態にコンテナ１０内に複数並べられて収容された際にも、面（外側面３０）同士が接触する部分を少なくすることができ、上下左右（縦横）に通気性のよい形態になっている。このため、きのこ栽培において、培養時などに発生する熱を効果的に発散させて培地の温度を下げ、きのこの育成を適切に行うことができる。
【００１７】
また、本形態例によれば、同一形状の瓶が隣接した状態にコンテナ１０内に複数並べられて収容された際に、隣り合う瓶同士が点で接触されて相互の位置関係がコンテナ１０内で決められるように、外側面３０の四面のいずれにも凸曲面（例えば、後述する凸丸状の角部３３）を備えている。さらに詳細には、本形態例では、外側面３０の各面の下部同士が、二点で接触している形態になっている。図６に示すように、３５が接触点であり、隣り合う瓶同士（きのこ栽培瓶２０、２０）が点で接触されている部分になっている。なお、本形態例の外側面３０の各面の上部同士は、傾いた際には二点で接触するが、各きのこ栽培瓶２０が真直ぐに起立された状態に収容された際には僅かに接触しない程度に、上部の外形の方が下部の外形の大きさよりも若干小さくなっている。
【００１８】
これによれば、同一形状の瓶が隣接した状態にコンテナ１０内に複数並べられて収容された際にも、線同士が接触して通気路を遮断することや、面（外側面３０）同士が接触して通気空間が消滅状態となることをより効果的に防止できる。このため、きのこ栽培において、培養時などに発生する熱を効果的に発散させて培地の温度を下げ、きのこの育成を適切に行うことができる。
【００１９】
さらに、本形態例によれば、平面形状で四角の胴体２２の各角部３３が、凸曲面状に丸められた凸丸状に形成されており、同一形状の瓶（きのこ栽培瓶２０）が隣接した状態にコンテナ１０内に複数並べられて収容された際に、隣り合う四つの前記凸丸状の角部３３によって縦に延びる星形状の通気空間５３を形成できる形態になっている。すなわち、凸丸状の角部３３は、胴体２２の各角部３３の上部から下部に亘る縦方向の全体について連続して凸丸状に形成されており、Ｒ面になって丸められている。また、角部３３の下部については、三次元的に球面状に外側へ膨出した形態の凸丸状に形成されている。
【００２０】
これによれば、従来の円筒状の瓶同士が隣接した状態にコンテナ１０内に複数並べられて収容された場合と比較すれば小さな通気空間であるが、星形状の通気空間５３を形成でき、特に縦方向の通気性を向上させることができる。このため、きのこ栽培において、培養時などに発生する熱を効果的に発散させて培地の温度を下げ、きのこの育成を適切に行うことができる。
【００２１】
次に、本形態例のきのこ栽培瓶２０のさらなる効果について詳細に説明する。
先ず、本形態例のきのこ栽培瓶２０は、四角い瓶であるため、円筒状の瓶と比較して、きのこ栽培用の配合培地を同一のスペースの中でより多く詰めることができると共に、同一の瓶容積の場合に、全高を低い形態にすることができる。従って、栽培スペースを効率よく利用してより多くを栽培できると共に、瓶の重心が低くなり、安定的に置くことができる。
【００２２】
なお、本形態例のきのこ栽培瓶２０は曲面を滑らかに連続させた四角い形状に設けられて複雑な形態となっているが、現在の三次元の製造技術によると、ブロー樹脂成型の金型などを容易に製作でき、製造コストが高くなることはない。
【００２３】
また、曲面で構成された外側面になるため、瓶の表面積が広くなり、放熱性を向上させることができる。また、熱交換がされ易くなるため、栽培室の温度条件により速く順応でき、栽培のコントロールが行い易くなる。
【００２４】
さらに、四角い形状であるが、外側面は三次元的に滑らかに連続する曲面状に設けられている。そして、円筒状の瓶と比較して、同一容積の場合には、瓶の深さが浅くなる。このように、瓶の壁面が連続した曲面で、且つ瓶の深さが浅いため、使用済み培地を瓶から掻き出す作業は、高圧空気を瞬間的に瓶の中に入れることで適切に行うことができる。
【００２５】
また、培地を四角の隅に適切に詰めるため、肩部２３がなだらかな曲面形状になっている。さらに、四角い外側面３０の四面が、曲面に形成されているため、面としての剛性が高まって、ベコベコしにくく、内圧によって変形しにくい形態になっている。このため、配合培地を、同じ条件で適量に詰めることができる。
【００２６】
ところで、本形態例のきのこ栽培瓶２０では、コンテナ１０の内部を平面として占有する正方形の平面にかかる対角線の長さと、きのこ栽培用培地の入る深さの長さの差が、１０％以内であって、同等であるように形成されている。すなわち、図４に示すように、きのこ栽培瓶２０を対角線で切断した断面であって培地が充填される胴体２２の部分は、より正方形に近い高さの断面になっている。
【００２７】
これによれば、きのこ栽培瓶２０の全高が低くなり、安定感がある形状になっている。また、きのこ栽培瓶２０の深さが浅いため、きのこの菌回りにかかる時間を短縮することが可能であり、きのこの生産性を向上させることができる。
【００２８】
本形態例では、図６及び図７に示すように、平面が正方形のコンテナ１０に、２５本が収容できるきのこ栽培瓶になっている。なお、本発明はこれに限定されることはなく、平面が正方形のコンテナ１０に、１６本が収容できるきのこ栽培瓶など、種々のサイズであってもよいのは勿論である。
【００２９】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３０】
１０  コンテナ
２０  きのこ栽培瓶
２１  瓶口
２２  胴体
２３  肩部
３０  外側面（四面）
３１  縦に延びる凹曲面
３２  横に延びる凹曲面
３３  凸丸状の角部（角部）
３５  接触点
５１  縦に延びる通気空間
５２  横に延びる通気空間
５３  星形状の通気空間
【図１】
2017006009.tif 000003
【図２】
2017006009.tif 000004
【図３】
2017006009.tif 000005
【図４】
2017006009.tif 000006
【図５】
2017006009.tif 000007
【図６】
2017006009.tif 000008
【図７】
2017006009.tif 000009